(57)【要約】【課題】  本発明は、風などの外的要因で格子が振動しても不快な音鳴りの発生を抑えることのできる手すりを提供することにある。【解決手段】  支柱１と笠木２と下弦材３と格子４とを備える手すりであって、笠木２および下弦材３の対向する側には長手方向に連続する空間８，１１が設けてあり、それぞれの空間８，１１には格子４の長手方向の一端部と他端部が挿入し、格子４は、笠木２および下弦材３の前記空間８，１１を囲む側壁部９ａ，１１ａのいずれかにのみ固定具１５で固定してあることを特徴とする。【選択図】      図１
2020139314.tif 000002
【特許請求の範囲】
【請求項１】
支柱と笠木と下弦材と格子とを備える手すりであって、
笠木および下弦材の対向する側には長手方向に連続する空間が設けてあり、それぞれの空間には格子の長手方向の一端部と他端部が挿入し、
格子は、笠木および下弦材の前記空間を囲む側壁部のいずれかにのみ固定具で固定してあることを特徴とする手すり。  
【請求項２】
前記空間は、笠木と下弦材の上下に対向する箇所で、かつ前記笠木と下弦材の内部に入り込むように溝状に形成してあり、格子は、溝状の空間の側壁部にのみ固定してあることを特徴とする請求項１記載の手すり。
【請求項３】
格子は、笠木と下弦材の空間内に、長手側の一端および他端を離した状態で空間の側壁部に固定してあることを特徴とする請求項１又は２記載の手すり。
【請求項４】
格子は、外周部の見込み側壁部の一部に凹凸があることを特徴とする請求項１、２又は３記載の手すり。
【発明の詳細な説明】
【技術分野】
【０００１】
本発明は、不快な音鳴りの対策を施した手すりに関するものである。
【背景技術】
【０００２】
手すりは、躯体に間隔をあけて複数立設する支柱と、支柱間の上部を架け渡す笠木と、支柱間の下部を架け渡す下弦材と、笠木と下弦材の間に間隔をあけて複数立設する格子とから構成するものである。
【先行技術文献】
【特許文献】
【０００３】
【特許文献１】特開２００６−３４２５２２号公報
【特許文献２】意匠登録第４０３７５９号公報
【発明の開示】
【発明が解決しようとする課題】
【０００４】
格子に風が吹き付けたときに、格子が振動して笠木や下弦材に断続的に接触して不快な金属音を発生する。このことから、手すりに金属材同士が接触する箇所を設けると、風などの外的な影響で格子が動くことで金属部位同士の接触、いわゆるメタルタッチが発生する。これを抑えるためには、特開２００６−３４２５２２号公報のように、何らかの対策を施す必要があった。
【０００５】
本発明は、上記課題を鑑みてなされたものであり、風などの外的要因で格子が振動しても不快な音鳴りの発生を抑えることのできる手すりを提供することにある。
【課題を解決するための手段】
【０００６】
本発明のうち請求項１記載の発明は、支柱と笠木と下弦材と格子とを備える手すりであって、笠木および下弦材の対向する側には長手方向に連続する空間が設けてあり、それぞれの空間には格子の長手方向の一端部と他端部が挿入し、格子は、笠木および下弦材の前記空間を囲む側壁部のいずれかのみに固定具で固定してあることを特徴とする。  ここで、格子の上下端部が笠木や下弦材の空間に差し込まれる範囲は、少なくとも、格子を取り付けたときに空間から外れることがなく、溝部を囲む側壁部に固定具をネジ止めできるネジ孔を設けることのできる範囲とする。また、空間は、格子の見込み幅よりもわずかに幅広に設けてあればよく、格子が笠木や下弦材に固定されたときに、前記格子が揺動してもその固定箇所以外の部位が笠木や下弦材と接触しない間隔を有することが望ましい。
【０００７】
本発明の請求項２記載の発明は、前記空間は、笠木と下弦材の上下に対向する箇所で、かつ前記笠木と下弦材の内部に入り込むように溝状に形成してあり、格子は、溝状の空間の側壁部にのみ固定してあることを特徴とする。ここで溝状の空間は、笠木と下弦材の内周側にそれぞれが開放しており、格子の上端部と下端部をそれぞれ受け入れることができるものであればよい。例えば、下向きコ字型のものが一般的となるが、半円状や多角形状など、対向側に格子を溝内に受け入れる開放口を有するものであれば限定しない。
【０００８】
本発明の請求項３記載の発明は、格子は、笠木と下弦材の空間内に、一端および他端を離した状態で空間の側壁部に固定してあることを特徴とする。
【０００９】
本発明の請求項４記載の発明は、格子は、外周部の見込み側壁部の一部に凹凸があることを特徴とする。
【発明の効果】
【００１０】
本発明のうち請求項１記載の発明によれば、笠木と下弦材のそれぞれに格子の上端部または下端部を呑み込む空間を設け、さらに、格子の上端部および下端部を空間の側壁部内周部に沿わせて固定具で固定する。これにより、格子は、笠木と下弦材に対して上端部あるいは下端部の一側部のみが接触するので、格子の上端部と下端部は笠木や下弦材に接触せず、音鳴り発生の要因を減らすことができる。
【００１１】
本発明のうち請求項２記載の発明によれば、空間は、笠木と下弦材の内部に納まっていることで、上下の空間に格子の上端部と下端部を呑み込ませたときに、格子の取り付けを支持する部位が露出せず、音鳴りの発生を抑えるとともに、笠木の下端と下弦材の上端から格子のみが見える連続的な意匠となることから、手すりの外観が良好となる。
【００１２】
本発明のうち請求項３記載の発明によれば、格子と笠木および下弦材とを離して固定してあるので、格子とその他部材との接触部位が少なくなって、格子が振動したときに当該格子と笠木および下弦材が当たって生じる不快な金属音の発生が抑えられる。
【００１３】
本発明のうち請求項４記載の発明によれば、格子の見込み側に凹凸した箇所を設けることで、格子を通過する風の流れに変化を与えられる。これにより、格子の内側見付け周辺でカルマン渦の発生を抑えられ、不快な風鳴音の発生をさらに一層軽減できる。
【図面の簡単な説明】
【００１４】
【図１】本実施による手すりの要部を示す縦断面図である。
【図２】（ａ）（ｂ）は、本実施による手すりの施工手順を示す斜視図である。
【図３】本実施による手すりの施工後の状態を示す（ａ）は、斜視図であり、（ｂ）は、正面図である。
【図４】本実施による手すりの格子に風が当たったときの作用を示す縦断面図である。
【図５】本発明の手すりの第二実施形態を示す縦断面図である。
【図６】本発明の手すりの（ａ）は、第三実施形態を示す縦断面図であり、（ｂ）は、第四実施形態を示す縦断面図である。
【図７】本発明の手すりの（ａ）は、格子の一例を示す右図が斜視図、左図が横断面図であり、（ｂ）は、同じく格子の一例を示す右図が斜視図、左図が横断面図である。
【発明を実施するための形態】
【００１５】
以下、本発明の手すりの実施形態を各図面に基づいて説明する。なお、本実施では縦格子タイプの手すりに適用したものについて説明する。
本発明の手すりは、図３（ａ）（ｂ）を参照すれば、支柱１と、笠木２と、下弦材３と、複数の格子４とから構成する。また、本実施による手すりの格子４は、前述したとおり上下に延長する縦格子タイプであり、その格子４を笠木２、下弦材３の間に、かつ支柱１間に一定の間隔をあけて多数配置したものである。
【００１６】
笠木（笠木本体）２は、図１と図２（ａ）（ｂ）のように、長尺な押出形材を組み合わせて形成されており、笠木支持材５と、覆い材６とから構成するものである。
【００１７】
覆い材６は、本実施のものは、上側の内外のコーナー部がそれぞれ面取りされており、その断面形状がいわゆる「かまぼこ」型をなしている。また、覆い材６は、下方が開放しており、その内外の両端部は、覆い材６の内周側に跳ね上がるように屈曲しており、それぞれが係止部７,７となって笠木支持材５に係止することができるものである。また、覆い材６は、上記のように下方が開放しており、笠木支持材５を内周側に受け入れた状態で係止することから、笠木支持材５が手すりの内外いずれからも隠蔽される構造となっている。
【００１８】
笠木支持材５は、図１を参照すれば、水平な板材の中央部が上向きに突出し、その突出した箇所の内周部に上側溝部（空間）８を形成している。さらに、上記の上側溝部８を内外に挟んだ両側部には、覆い材６の各係止部７,７が係止する被係止部１０,１０がそれぞれ設けてある。また、上側溝部８の形状は、垂直な両側壁部９ａ,９ａと、両側壁部９ａ,９ａのそれぞれの上端部の間をつなぐ連結壁部９ｂとから下向きコ字型に形成するものである。
【００１９】
下弦材３は、図１を参照すれば、手すりの内側に配置する内側見付け壁３ａと、同じく外側に配置する外側見付け壁３ｂと、上記の内側見付け壁３ａと外側見付け壁３ｂのそれぞれの上端間をつなぐ下連結壁部３ｃとから三方を囲む形状をなしている。さらに、下連結壁部３ｃの内外方向の中央には、格子４の下端部を受け入れる上向きコ字型の下側溝部（空間）１１が設けてある。そして、下弦材３の下側溝部１１は、笠木２の上側溝部８と上下に対向する位置に配置され、垂直な両側壁部１１ａ,１１ａと、その両側壁部１１ａ,１１ａの下端間をつなぐ底壁１１ｂとから上向きコ字型に形成される。また、隣接する各支柱１間の対向する各々の見込み側の側壁部に、下弦材支持部材１２がそれぞれ取り付けてある。そして、前述の下弦材支持部材１２で下弦材３を支持するときは、図２（ａ）（ｂ）  を参照すれば、その下弦材３を支柱１,１間に配置するとともに、支柱１,１間に対向して取り付けてある下弦材支持部材１２に載置する。上記のような状態で下弦材３と  下弦材支持部材１２のタッピングホールに固定具１３を挿通してねじ込んでいくことにより、支柱１,１間に下弦材３が固定される。さらに、内外の両側壁３ａ,３ｂの一方は、下弦材３から着脱自在な構造となっている。このようにすると、一方の側壁部３ａ，３ｂを外すと、下側溝部１１を囲む側壁部３ａ，３ｂの外周部が露出し、固定具１５を固定しやすくなる。
【００２０】
格子４は、図２（ａ）（ｂ）のように、断面矩形状をなす中空形材で形成している。また、格子４の太さは、笠木２の上側溝部８と下弦材３の下側溝部１１の溝幅よりもわずかに細く設定してある。これにより、格子４の上端部を上側溝部８に呑み込ませることができるとともに、格子４の下端部を下側溝部１１に呑み込ませることができるので、笠木２と下弦材３の間に多数の格子４を上下の溝部８，１１に沿って送り出せるので、各格子４を所定の位置まで簡単に配置できる。また、上側溝部８と下側溝部１１に上端部と下端部が呑み込まれた格子４に対し、覆い材６と一方の側壁部３ａをそれぞれ取り外すことで、上側溝部８と下側溝部１１の側壁部９ａ，１１ａの外周部が露出する。これにより、溝８,１１の外周部の側方からネジなどの固定具１５をねじ込むことで、固定具１５の先端が呑み込まれた格子４に到達し、格子４と笠木２、下弦材３を固定できる。
【００２１】
以上のように、本実施による手すりを構成することにより、以下に示す作用・効果を奏することになる。
各格子４は、図１のように、上側溝部８の内側見付け壁９ａまたは外側見付け壁９ｂ、下側溝部１１の一方の側壁部１１ａにのみ接触するので、各格子４と笠木２、下弦材３との接触する箇所が小さくなる。このように、金属製の部位同士の接触がごく狭い範囲になることから、風や地盤振動に伴う手すりへの振動伝達時に、不快な金属音の発生を抑えられる。  
以上、本実施の手すりを説明の便宜上、第一実施形態とする。
【００２２】
本発明の他の実施形態として、図５のように、笠木支持材５の下部に、格子４を支持する上側溝部（空間）２８を有する連結材１６を設ける。この連結材１６は、内側片１６ａと外側片１６ｂと、前記内側片１６ａと外側片１６ｂの上端をつなぐ連結片１６ｃとから下向きコ字型に形成してある。また、連結材１６のコ字をなす内周側の見込み寸法は、格子４の見込み幅よりもコ字の内周側の幅がわずかに広く形成してあり、連結材１６のコ字の内周側に格子４を配置したときに、格子４を連結材１６の内側見付け壁１６ａか外側見付け壁１６ｂのいずれかに寄せて配置するものである。さらに、上記の連結材１６と笠木支持材５との固定は、連結材１６の連結片１６ｃを笠木支持材５の下端部に配置し、その上下に重なった箇所に固定具１７で固定するものである。また、連結材１６は、笠木支持材５の長手方向に沿って一続きに連続して配置してある。このようにすると、連結材１６の下方が笠木支持材５の全長に亘って開放していることにより、その直線状に開放した箇所に複数の格子４を呑み込ませることができる。したがって、所定本数の格子４をまとめて上下の連結材１６の間に配置し、各格子４を所定の位置にスライドして連結材１６の側方から固定具１５で固定することで、従来の一般的な格子手すりよりも効率的な施工ができる。
なお、図示は省略するが、下弦材３の上部には、上向きコ字状の連結材１６を固定することができる。こちらは、笠木支持材５の下部に固定した連結材１６の向きを変えて使用することもできる。
以上、本実施の手すりを説明の便宜上、第二実施形態とする。
【００２３】
本発明の手すりは、上記した各実施形態のほか、特許請求の範囲内であれば変更ができる。
上記では、第一実施形態として、笠木２に上側溝部８を、下弦材３に下側溝部１１をそれぞれ設けて、その上下の溝部８,１１に格子４の上端部と下端部を呑み込ませて固定したものについて説明した。さらに、第二実施形態として、笠木２の下端部および下弦材３の上端部に、断面コ字型の連結材１６を設け、その連結材１６のコ字の内周部に、格子２の上端部と下端部をそれぞれ呑み込ませて固定するものについて説明をした。
それ以外に、格子４とできるだけ接触しない状態で笠木２と下弦材３の間に配置できる構造のものであれば限定しない。たとえば、図６（ａ）のものは、笠木２の下端部および下弦材３の上端部のそれぞれに、水平片２６ａと垂直片２６ｂとからＬ字型をなす連結材２６を固定具１７で固定したものである（第三実施形態とする。）。こちらは連結材２６の内周側に格子４を受け入れる空間３８が形成される。さらに、図６（ｂ）のものは、笠木支持材５の中央やや内側寄りの箇所から下方に垂下した垂下片３５が設けてある。この垂下片３５の外側壁部に、格子４の一側壁部を沿わせ、その互いの当接箇所に固定具１７を固定したものである（第四実施形態とする。）。こちらは、垂下片３５と笠木支持材５とで囲まれた箇所に格子４を受け入れる空間４８が形成される。上記した第三実施形態、第四実施形態のように形成したものは、いずれも格子４と笠木２及び下弦材３との接触が小さくなるので、格子４に風が当たる、あるいは、格子４に躯体からの振動が伝わったときの音鳴りの発生が抑えられる。
なお、図示は省略するが、第三実施形態の下弦材３の上部には、上記の連結材２６と同じ構造のものが固定してあり、また、第四実施形態の下弦材３の上部にも、上記の垂下片３５と同じ構造の起立片が一体的に設けることもできる。さらに、図示は省略するが、垂下片３５や起立片を笠木支持材５の見込み方向に間隔をあけた二箇所に設け、第一〜第二実施形態の上側溝部８，２８および下側溝部１１のようにコ字型の空間にすることもできる。
【００２４】
また、本発明の手すりは、上記した格子４と笠木２および下弦材３との固定構造とすることに加えて、格子４の断面形状を矩形以外の形状に変更することによっても、音鳴りを抑えることができる。具体的に、図７（ａ）のように、格子２４の外周壁部における見込み方向の中央Ｐを窪ませ、内側端部と外側端部が張り出した構造とし、いわゆる「砂時計型」の断面形状とした。さらに、図７（ｂ）のように、格子３４の見込み方向の外側の両側壁部にのみ凸部が設けてある、いわゆる「Ｔ字型」の断面形状とした。このように形成すると、格子２４,３４に当たった風が内側に抜けるときに、カルマン渦の発生が抑えられることによる、ブーンという振動音の発生を抑制し、ヒューという笛吹き音のような音鳴りの発生も抑えることが期待できる。なお、前述では格子２４,３４の断面が「砂時計型」と「Ｔ字型」のものについて説明したが、格子２４,３４の見込み側の側壁部９ａ,１１ａに凹凸を有するものであれば、カルマン渦の発生を抑えられることは、たとえば、意匠登録第４０３７５９号公報などで周知であることから、その形状を限定するものではない。
【符号の説明】
【００２５】
１  支柱
２  笠木
３  下弦材
３ａ  内側見付け壁部  
３ｂ  外側見付け壁部
３ｃ  下連結壁部
４、２４、３４  格子
５  笠木支持材
６  覆い材
７  係止部
８  上側溝部（笠木側）
９ａ  両側壁部
９ｂ  連結壁部
１０  被係止部
１１  下側溝部（下弦材側）
１１ａ  両側壁部
１１ｂ  底壁
１２  下弦材支持部材
１３，１５，１７  固定具
１４  遮音材
１６，２６  連結材
１６ａ  内側片
１６ｂ  外側片
１６ｃ  連結片
２６ａ  水平片
２６ｂ  垂直片
３５  垂下片
Ｐ  見込み方向の中央
Ｑ  見込み方向外側の端部
【図１】
2020139314.tif 000003
【図２】
2020139314.tif 000004
【図３】
2020139314.tif 000005
【図４】
2020139314.tif 000006
【図５】
2020139314.tif 000007
【図６】
2020139314.tif 000008
【図７】
2020139314.tif 000009